(57)【要約】【課題】「ピンセット」と「コイルスプリング」の長所を十分生かすことができて、局所的な無駄毛切りが確実に行える無駄毛切りを簡単な構造によって提供すること。【解決手段】互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛切り１００であって、コイルスプリング２０を構成している各コイル部分２１について、その圧縮方向の両側面に前記圧縮方向に略直交する第１平面２２を形成するとともに、その外側面に第１平面２２に略直交する第２平面２３を形成して、コイルスプリング２０が圧縮されたとき、各コイル部分２１の各第１平面２２を互いに密着させるとともに、各第２平面２３全体が連続した当接面を形成するようにしたこと。【選択図】図１
2018149242.tif 000002
【特許請求の範囲】
【請求項１】
互いに対向する一対のピンセット腕を指で挟むことにより、これらのピンセット腕の先端部を閉じるピンセット本体と、前記各ピンセット腕の先端部間に取り付けられて、前記各先端部が閉じられたとき圧縮されるコイルスプリングとからなるピンセット型の無駄毛切りであって、
前記コイルスプリングを構成している各コイル部分について、その圧縮方向の両側面に前記圧縮方向に略直交する第１平面を形成するとともに、その外側面に前記第１平面に略直交する第２平面を形成して、前記コイルスプリングが圧縮されたとき、各コイル部分の各第１平面を互いに密着させるとともに、前記各第２平面全体が連続した当接面を形成するようにしたことを特徴とするピンセット型の無駄毛切り。
【発明の詳細な説明】
【技術分野】
【０００１】
本発明は、ピンセット本体とコイルスプリングとからなる、ピンセット型の無駄毛切りに関するものである。
【背景技術】
【０００２】
人体には、様々な箇所に、また、年齢に応じて男女を問わず、色んな無駄毛が生える。これらの無駄毛は、脛等の人目に付き易い部分に生えれば除去したいし、耳穴や鼻孔に生えればムズムズするので、これも除去したい。
【０００３】
このような無駄毛を除去する器具や装置としては、レーザー光を使用するものなど、従来より種々なものが提案されてきているのであるが、使用者本人が手で持って使用する手動型のものに限っても、特許文献１〜２、及び本願の図５に示すような「ピンセット型」や、特許文献３〜４、及び本願の図６に示すような「スプリング型」が代表的に知られている。
【先行技術文献】
【特許文献】
【０００４】
【特許文献１】特開平１１−１６９２２６号公報、要約、代表図
【特許文献２】特表２００８−５３９８５４号公報、要約、代表図
【特許文献３】特開２００１−３２７３２２号公報、要約、代表図
【特許文献４】特開２００４−２１５９６７号公報、要約、代表図
【発明の概要】
【発明が解決しようとする課題】
【０００５】
特許文献１にて提案されている「脱毛装置」は、「手持操作により毛髪を容易に引き抜くことができる美容用の脱毛装置を提供する」ことを目的としてなされたもので、図５の（ａ）に示すように、「先端部が開口部４に臨むように挟持金具１５を保持した前後動可能なホルダー１６と、後退移動により挟持金具１５に毛髪を挟持させるスライダー１７と」を備え、これらを覆う部材や駆動する部材等を多く備える必要のあるものである。一方、特許文献２にて提案されている「脱毛器」は、図５の（ｂ）に示すように、「ピンセット要素１２を有する脱毛器１０に係り、少なくとも前記ピンセット要素１２の表面は、少なくとも３０％の充填材料を有して強化される基本材料を有して少なくとも部分的に作られる。該充填材料を有して強化される基本材料は、モース硬度において少なくとも３である硬度を有する」ものとして構成されるものである。
【０００６】
これらの特許文献１及び２にて提案されている「ピンセット型」の脱毛器は、ピンセットの先端部で無駄毛を掴み取って、器具全体を移動させることにより、無駄毛を切り取ることができると考えられるが、ピンセットの先端部での無駄毛の掴み取りがよく見えないこともあって、局所的な無駄毛切りができないだけでなく、器具全体が大きいことから、耳穴や鼻孔内に差し込めず、これらの中の無駄毛を抜くことはできないと考えられる。
【０００７】
特許文献３及び４にて提案されている「スプリング型」の脱毛器も、図６の（ａ）または（ｂ）に示すように、圧縮したスプリングで無駄毛を掴み取って、器具全体を移動させて無駄毛を切り取ることができると考えられるが、スプリングでの無駄毛掴みがよく見えないこともあって、局所的な無駄毛切りができないだけでなく、器具全体が大きいことから、耳穴や鼻孔内に差し込めず、これらの中の無駄毛を抜くことはできないと考えられる。
【０００８】
勿論、特許文献１または２にて提案されている「ピンセット型」の脱毛器も、特許文献３または４にて提案されている「スプリング型」の脱毛器も、ピンセット部分やスプリング部分を駆動するための部材を必要としていることから、全体的に複雑なものとなっている。
【０００９】
そこで、本発明者等は、「ピンセット」と「コイルスプリング」の長所を十分生かすことができて、構造を非常に簡単にしながら、局所的な無駄毛切りが確実に行える無駄毛切りとするにはどうしたらよいか、について種々検討を重ねてきた結果、本発明を完成したのである。
【００１０】
すなわち、本発明の目的とするところは、「ピンセット」により「コイルスプリング」を圧縮したとき、無駄毛の両側を２つの平面によってしっかりと掴むことができ、しかも、この掴みを無駄毛の根元で行うことができて、局所的な無駄毛切りが、「ピンセット」と「コイルスプリング」の長所を十分生かしながら確実に行える無駄毛切りを、簡単な構造によって提供することにある。
【課題を解決するための手段】
【００１１】
以上の課題を解決するために、本発明の採った手段は、後述する最良形態の説明中で使用する符号を付して説明すると、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛切り１００であって、
コイルスプリング２０を構成している各コイル部分２１について、その圧縮方向の両側面に前記圧縮方向に略直交する第１平面２２を形成するとともに、その外側面に第１平面２２に略直交する第２平面２３を形成して、コイルスプリング２０が圧縮されたとき、各コイル部分２１の各第１平面２２を互いに密着させるとともに、各第２平面２３全体が連続した当接面を形成するようにしたことを特徴とするピンセット型の無駄毛切り１００」
である。
【００１２】
すなわち、本発明に係る無駄毛切り１００は、図１に示すように、一般的なピンセット形状のピンセット本体１０を構成している一対のピンセット腕１１の外端部１２間に、圧縮スプリングであるコイルスプリング２０を取り付けたものであり、各ピンセット腕１１を指先で挟むことにより、先端のコイルスプリング２０を圧縮する手動利器である。また、この無駄毛切り１００で採用しているコイルスプリング２０の、非圧縮状態での圧縮方向（図１の（ａ）では、図示上下方向）の長さは、その他の部分での最大となっており、しかも鼻孔や耳穴内に挿入できる程度としてある。つまり、この無駄毛切り１００のコイルスプリング２０は、図１に示す状態でそのまま鼻孔や耳穴内に挿入できるものである。
【００１３】
また、この無駄毛切り１００を構成しているコイルスプリング２０の各コイル部分２１については、図２〜図４に示すように、その圧縮方向の両側面に前記圧縮方向に略直交する第１平面２２を形成するとともに、その外側面に第１平面２２に略直交する第２平面２３を形成して、コイルスプリング２０が圧縮されたとき、各コイル部分２１の各第１平面２２を互いに密着させるとともに、各第２平面２３全体が連続した当接面を形成するようにしてある。
【００１４】
さて、この無駄毛切り１００におけるコイルスプリング２０は、ピンセット本体１０のピンセット腕１１が開かれた状態にあるときには、図２、及び図４の（ａ）に示すように、その各コイル部分２１の間に均等な幅の隙間が形成されており、これらの隙間は、他の部分に遮られること無く、十分目視できるものとなっている。ここで、除去対象である無駄毛が脛の表面にある場合や鼻孔内にある場合には、当該コイルスプリング２０を目視あるいは鏡に映しながら無駄毛に向かわせれば、無駄毛は各コイル部分２１間の隙間内に容易に入り込む。
【００１５】
一方、無駄毛が耳穴内にある場合は、これを使用者本人が目視したり鏡に映したりすることができず、各コイル部分２１間の隙間の目視もできない。しかしながら、コイルスプリング２０は、図１に示す状態でそのまま耳穴内に挿入できるし、各コイル部分２１の間には均等な幅の隙間が多数形成してあるから、例えば当該コイルスプリング２０を回しながら挿入することによって、無駄毛を各コイル部分２１間の隙間内に入り込ませることができるし、これを敏感な耳穴は感じることもできる。
【００１６】
無駄毛が各コイル部分２１間の隙間内に入り込めば、互いに対向している一対のピンセット腕１１を指で挟むことにより先端部１２を閉じると、例えば図４の（ｂ）に示すように、無駄毛を両側のコイル部分２１が掴むことになる。
【００１７】
ここで重要なことは、各コイル部分２１について、その圧縮方向の両側面に前記圧縮方向に略直交する第１平面２２が形成されていることと、各コイル部分２１の外側面に第１平面２２に略直交する第２平面２３が形成してあることである。これにより、コイルスプリング２０が圧縮されたときには、まず、図４の（ｂ）に示すように、無駄毛の両側になっている各コイル部分２１の各第１平面２２が互いに密着し合うため、無駄毛の両側は各第１平面２２によってしっかりと掴まれることになる。
【００１８】
そして、コイルスプリング２０が閉じられたときには、各コイル部分２１の第２平面２３全体が、図４の（ｂ）に示すように、連続した当接面を形成しているから、圧縮されたコイルスプリング２０は、無駄毛の生えている皮膚表面にピッタリと当接することになる。これにより、各第１平面２２によって掴まれた無駄毛は、その生え際まで各コイル部分２１の第１平面２２によって固定されていることになるのである。
【００１９】
以上の通り、除去したい無駄毛の両側は、その生え際から各第１平面２２によってしっかりと掴まれることになり、当該無駄毛切り１００全体をそのまま動かせば、当該無駄毛が、途中で切れることなく、皮膚から切り取られることになるのである。
【００２０】
従って、本発明に係る無駄毛切り１００によれば、「ピンセット」と「コイルスプリング」とからなる簡単な構造となっており、しかも耳穴や鼻孔内の無駄毛切りができる程度の小さな手動利器となっているから、脛のような広い皮膚上の無駄毛は勿論、耳穴や鼻孔内のような局所的な箇所に生えている無駄毛であっても抜くことができるのである。
【発明の効果】
【００２１】
以上説明した通り、本発明においては、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛切り１００であって、
コイルスプリング２０を構成している各コイル部分２１について、その圧縮方向の両側面に前記圧縮方向に略直交する第１平面２２を形成するとともに、その外側面に第１平面２２に略直交する第２平面２３を形成して、コイルスプリング２０が圧縮されたとき、各コイル部分２１の各第１平面２２を互いに密着させるとともに、各第２平面２３全体が連続した当接面を形成するようにしたこと」
にその構成上の特徴があり、これにより、「ピンセット」と「コイルスプリング」の長所を十分生かすことができて、局所的な無駄毛切りが確実に行える無駄毛切り１００を、簡単な構造によって提供することができるのである。
【００２２】
すなわち、本発明の無駄毛切り１００によれば、「ピンセット」により「コイルスプリング」を圧縮したとき、無駄毛の両側を２つの第１平面２２・２２によってしっかりと掴むことができ、しかも、この掴みを第２平面２３の存在によって無駄毛の根元で行うことができて、局所的な無駄毛切りが、「ピンセット」と「コイルスプリング」の長所を十分生かしながら確実に行えるのである。
【図面の簡単な説明】
【００２３】
【図１】本発明に係る無駄毛切り１００を拡大して示すもので、（ａ）は正面図、（ｂ）は平面図である。
【図２】同無駄毛切り１００を構成していて圧縮されていない状態のコイルスプリング２０を拡大して示すもので、（ａ）は正面図、（ｂ）は（ａ）中の１−１線に沿って見た断面図である。
【図３】同無駄毛切り１００を構成していて圧縮された状態のコイルスプリング２０を拡大して示すもので、（ａ）は正面図、（ｂ）は（ａ）中の２−２線に沿って見た断面図である。
【図４】コイルスプリング２０の一部断面を示すもので、（ａ）は各コイル部分２１が圧縮されていない状態の部分拡大断面図、（ｂ）は各コイル部分２１が圧縮されていて一対のコイル部分２１間に無駄毛を掴んでいる状態の部分拡大断面図である。
【図５】従来の技術を示すもので、（ａ）は特許文献１で提案されている脱毛装置の断面図、（ｂ）は特許文献２で提案されている脱毛装置の平面図である。
【図６】従来の技術を示すもので、（ａ）は特許文献３で提案されている脱毛装置の断面図、（ｂ）は特許文献４で提案されている脱毛装置の断面図である。
【発明を実施するための形態】
【００２４】
次に、以上のように構成した本発明を、図面に示した実施の形態である無駄毛切り１００について説明すると、図１の（ａ）には、ピンセット本体１０とコイルスプリング２０とによって構成した無駄毛切り１００の正面図が示してあり、図１の（ｂ）には、同無駄毛切り１００の平面図が示してある。
【００２５】
ピンセット本体１０は、一般的なそれと同様に、互いに対向し合う一対のピンセット腕１１の基端部（図１では図示左側部分）を折り曲げまたは連結したものであり、力を加えない状態では、図１に示したように、両ピンセット腕１１がその各外端部１２を開いた状態に維持できるような弾性力を有したものである。
【００２６】
本実施形態における各ピンセット腕１１の外端部１２には、図１の（ｂ）に示したように、バネ留め溝１３が形成してあり、このバネ留め溝１３内には、後述するコイルスプリング２０の両外端に位置するコイル部分２１が係止され、この係止部分では必要に応じて溶接等の手段によって両者の固定がなされる。なお、この係止部分やその溶接部分では、人の皮膚に傷を付ける可能性のある突起（後述するコイルスプリング２０の切断端部）やバリ（溶接した場合）が残ることがあるが、これらは研磨等の手段によって除去される。
【００２７】
一方、実施形態の無駄毛切り１００を構成するコイルスプリング２０は、図１の（ａ）に示した非圧縮状態での長さが７ｍｍ〜１０ｍｍ程度であり、連続している各コイル部分２１の直径が３ｍｍ〜５ｍｍ程度のものである。そして、このコイルスプリング２０は、両ピンセット腕１１の各外端部１２が閉じられないときには、図２に示したように、各コイル部分２１間に無駄毛が入り込める隙間を構成すべく開かれるものであり、各外端部１２が閉じられたときには、図３に示したように、各コイル部分２１間に隙間がないように圧縮されるものである。本実施形態においては、上記の長さのコイルスプリング２０について、コイル部分２１（コイルスプリング２０の一回り分を言う）の数が７〜１２程度となるようにしてある。
【００２８】
この実施形態におけるコイルスプリング２０で重要なことは、図２及び図３の各（ｂ）にて示したように、当該コイルスプリング２０を構成している各コイル部分２１について、その圧縮方向の両側面に前記圧縮方向に略直交する第１平面２２が形成してあり、その外側面に第１平面２２に略直交する第２平面２３が形成してあることである。
【００２９】
各コイル部分２１の各第１平面２２は、コイルスプリング２０が圧縮されていないときには、図４の（ａ）に示したように、互いに離れていて除去したい無駄毛を挿入できる程度の隙間を形成するものであり、コイルスプリング２０が圧縮されたときには、図４の（ｂ）に示したように、これらの各第１平面２２は互いに密着させられるものである。
【００３０】
これに対して、各コイル部分２１の各第２平面２３は、特に、コイルスプリング２０が圧縮されたときに、図４の（ｂ）に示したように、各第２平面２３全体が連続した当接面を形成するものであり、この当接面は、人の無駄毛が生えている皮膚に広い面積で当接できるようにして、当該無駄毛切り１００を皮膚上に当てたときに痛みを感じさせないようにして、使用感を高めるものである。また、各第２平面２３全体が連続した当接面は、図４の（ｂ）に示したように、無駄毛の両側にあるコイル部分２１が無駄毛が生えている際まで掴めるようにするものでもある。
【符号の説明】
【００３１】
１００    無駄毛切り
１０    ピンセット本体
１１    ピンセット腕
１２    外端部
１３    バネ留め溝
２０    コイルスプリング
２１    コイル部分
２２    第１平面
２３    第２平面
【図１】
2018149242.tif 000003
【図２】
2018149242.tif 000004
【図３】
2018149242.tif 000005
【図４】
2018149242.tif 000006
【図５】
2018149242.tif 000007
【図６】
2018149242.tif 000008
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
互いに対向する一対のピンセット腕を指で挟むことにより、これらのピンセット腕の先端部を閉じるピンセット本体と、前記各ピンセット腕の先端部間に取り付けられて、前記各先端部が閉じられたとき圧縮されるコイルスプリングとからなるピンセット型の無駄毛抜きであって、
前記コイルスプリングを構成している各コイル部分について、その圧縮方向の両側面に前記圧縮方向に直交する第１平面を形成するとともに、その外側面に前記第１平面に直交する第２平面を形成して、前記コイルスプリングが圧縮されたとき、各コイル部分の各第１平面を互いに密着させるとともに、前記各第２平面全体が連続した当接面を形成するようにしたことを特徴とするピンセット型の無駄毛抜き。
【手続補正２】
【補正対象書類名】明細書
【補正対象項目名】全文
【補正方法】変更
【補正の内容】
【発明の詳細な説明】
【技術分野】
【０００１】
本発明は、ピンセット本体とコイルスプリングとからなる、ピンセット型の無駄毛抜きに関するものである。
【背景技術】
【０００２】
人体には、様々な箇所に、また、年齢に応じて男女を問わず、色んな無駄毛が生える。これらの無駄毛は、脛等の人目に付き易い部分に生えれば除去したいし、耳穴や鼻孔に生えればムズムズするので、これも除去したい。
【０００３】
このような無駄毛を除去する器具や装置としては、レーザー光を使用するものなど、従来より種々なものが提案されてきているのであるが、使用者本人が手で持って使用する手動型のものに限っても、特許文献１〜２、及び本願の図５に示すような「ピンセット型」や、特許文献３〜４、及び本願の図６に示すような「スプリング型」が代表的に知られている。
【先行技術文献】
【特許文献】
【０００４】
【特許文献１】特開平１１−１６９２２６号公報、要約、代表図
【特許文献２】特表２００８−５３９８５４号公報、要約、代表図
【特許文献３】特開２００１−３２７３２２号公報、要約、代表図
【特許文献４】特開２００４−２１５９６７号公報、要約、代表図
【発明の概要】
【発明が解決しようとする課題】
【０００５】
特許文献１にて提案されている「脱毛装置」は、「手持操作により毛髪を容易に引き抜くことができる美容用の脱毛装置を提供する」ことを目的としてなされたもので、図５の（ａ）に示すように、「先端部が開口部４に臨むように挟持金具１５を保持した前後動可能なホルダー１６と、後退移動により挟持金具１５に毛髪を挟持させるスライダー１７と」を備え、これらを覆う部材や駆動する部材等を多く備える必要のあるものである。一方、特許文献２にて提案されている「脱毛器」は、図５の（ｂ）に示すように、「ピンセット要素１２を有する脱毛器１０に係り、少なくとも前記ピンセット要素１２の表面は、少なくとも３０％の充填材料を有して強化される基本材料を有して少なくとも部分的に作られる。該充填材料を有して強化される基本材料は、モース硬度において少なくとも３である硬度を有する」ものとして構成されるものである。
【０００６】
これらの特許文献１及び２にて提案されている「ピンセット型」の脱毛器は、ピンセットの先端部で無駄毛を掴み取って、器具全体を移動させることにより、無駄毛を抜き取ることができると考えられるが、ピンセットの先端部での無駄毛の掴み取りがよく見えないこともあって、局所的な無駄毛抜きができないだけでなく、器具全体が大きいことから、耳穴や鼻孔内に差し込めず、これらの中の無駄毛を抜くことはできないと考えられる。
【０００７】
特許文献３及び４にて提案されている「スプリング型」の脱毛器も、図６の（ａ）または（ｂ）に示すように、圧縮したスプリングで無駄毛を掴み取って、器具全体を移動させて無駄毛を抜き取ることができると考えられるが、スプリングでの無駄毛掴みがよく見えないこともあって、局所的な無駄毛抜きができないだけでなく、器具全体が大きいことから、耳穴や鼻孔内に差し込めず、これらの中の無駄毛を抜くことはできないと考えられる。
【０００８】
勿論、特許文献１または２にて提案されている「ピンセット型」の脱毛器も、特許文献３または４にて提案されている「スプリング型」の脱毛器も、ピンセット部分やスプリング部分を駆動するための部材を必要としていることから、全体的に複雑なものとなっている。
【０００９】
そこで、本発明者等は、「ピンセット」と「コイルスプリング」の長所を十分生かすことができて、構造を非常に簡単にしながら、局所的な無駄毛抜きが確実に行える無駄毛抜きとするにはどうしたらよいか、について種々検討を重ねてきた結果、本発明を完成したのである。
【００１０】
すなわち、本発明の目的とするところは、「ピンセット」により「コイルスプリング」を圧縮したとき、無駄毛の両側を２つの平面によってしっかりと掴むことができ、しかも、この掴みを無駄毛の根元で行うことができて、局所的な無駄毛抜きが、「ピンセット」と「コイルスプリング」の長所を十分生かしながら確実に行える無駄毛抜きを、簡単な構造によって提供することにある。
【課題を解決するための手段】
【００１１】
以上の課題を解決するために、本発明の採った手段は、後述する最良形態の説明中で使用する符号を付して説明すると、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛抜き１００であって、
コイルスプリング２０を構成している各コイル部分２１について、その圧縮方向の両側面に前記圧縮方向に直交する第１平面２２を形成するとともに、その外側面に第１平面２２に直交する第２平面２３を形成して、コイルスプリング２０が圧縮されたとき、各コイル部分２１の各第１平面２２を互いに密着させるとともに、各第２平面２３全体が連続した当接面を形成するようにしたことを特徴とするピンセット型の無駄毛抜き１００」
である。
【００１２】
すなわち、本発明に係る無駄毛抜き１００は、図１に示すように、一般的なピンセット形状のピンセット本体１０を構成している一対のピンセット腕１１の外端部１２間に、圧縮スプリングであるコイルスプリング２０を取り付けたものであり、各ピンセット腕１１を指先で挟むことにより、先端のコイルスプリング２０を圧縮する手動利器である。また、この無駄毛抜き１００で採用しているコイルスプリング２０の、非圧縮状態での圧縮方向（図１の（ａ）では、図示上下方向）の長さは、その他の部分での最大となっており、しかも鼻孔や耳穴内に挿入できる程度としてある。つまり、この無駄毛抜き１００のコイルスプリング２０は、図１に示す状態でそのまま鼻孔や耳穴内に挿入できるものである。
【００１３】
また、この無駄毛抜き１００を構成しているコイルスプリング２０の各コイル部分２１については、図２〜図４に示すように、その圧縮方向の両側面に前記圧縮方向に直交する第１平面２２を形成するとともに、その外側面に第１平面２２に直交する第２平面２３を形成して、コイルスプリング２０が圧縮されたとき、各コイル部分２１の各第１平面２２を互いに密着させるとともに、各第２平面２３全体が連続した当接面を形成するようにしてある。
【００１４】
さて、この無駄毛抜き１００におけるコイルスプリング２０は、ピンセット本体１０のピンセット腕１１が開かれた状態にあるときには、図２、及び図４の（ａ）に示すように、その各コイル部分２１の間に均等な幅の隙間が形成されており、これらの隙間は、他の部分に遮られること無く、十分目視できるものとなっている。ここで、除去対象である無駄毛が脛の表面にある場合や鼻孔内にある場合には、当該コイルスプリング２０を目視あるいは鏡に映しながら無駄毛に向かわせれば、無駄毛は各コイル部分２１間の隙間内に容易に入り込む。
【００１５】
一方、無駄毛が耳穴内にある場合は、これを使用者本人が目視したり鏡に映したりすることができず、各コイル部分２１間の隙間の目視もできない。しかしながら、コイルスプリング２０は、図１に示す状態でそのまま耳穴内に挿入できるし、各コイル部分２１の間には均等な幅の隙間が多数形成してあるから、例えば当該コイルスプリング２０を回しながら挿入することによって、無駄毛を各コイル部分２１間の隙間内に入り込ませることができるし、これを敏感な耳穴は感じることもできる。
【００１６】
無駄毛が各コイル部分２１間の隙間内に入り込めば、互いに対向している一対のピンセット腕１１を指で挟むことにより先端部１２を閉じると、例えば図４の（ｂ）に示すように、無駄毛を両側のコイル部分２１が掴むことになる。
【００１７】
ここで重要なことは、各コイル部分２１について、その圧縮方向の両側面に前記圧縮方向に直交する第１平面２２が形成されていることと、各コイル部分２１の外側面に第１平面２２に直交する第２平面２３が形成してあることである。これにより、コイルスプリング２０が圧縮されたときには、まず、図４の（ｂ）に示すように、無駄毛の両側になっている各コイル部分２１の各第１平面２２が互いに密着し合うため、無駄毛の両側は各第１平面２２によってしっかりと掴まれることになる。
【００１８】
そして、コイルスプリング２０が閉じられたときには、各コイル部分２１の第２平面２３全体が、図４の（ｂ）に示すように、連続した当接面を形成しているから、圧縮されたコイルスプリング２０は、無駄毛の生えている皮膚表面にピッタリと当接することになる。これにより、各第１平面２２によって掴まれた無駄毛は、その生え際まで各コイル部分２１の第１平面２２によって固定されていることになるのである。
【００１９】
以上の通り、除去したい無駄毛の両側は、その生え際から各第１平面２２によってしっかりと掴まれることになり、当該無駄毛抜き１００全体をそのまま動かせば、当該無駄毛が、途中で切れることなく、皮膚から抜き取られることになるのである。
【００２０】
従って、本発明に係る無駄毛抜き１００によれば、「ピンセット」と「コイルスプリング」とからなる簡単な構造となっており、しかも耳穴や鼻孔内の無駄毛抜きができる程度の小さな手動利器となっているから、脛のような広い皮膚上の無駄毛は勿論、耳穴や鼻孔内のような局所的な箇所に生えている無駄毛であっても抜くことができるのである。
【発明の効果】
【００２１】
以上説明した通り、本発明においては、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛抜き１００であって、
コイルスプリング２０を構成している各コイル部分２１について、その圧縮方向の両側面に前記圧縮方向に直交する第１平面２２を形成するとともに、その外側面に第１平面２２に直交する第２平面２３を形成して、コイルスプリング２０が圧縮されたとき、各コイル部分２１の各第１平面２２を互いに密着させるとともに、各第２平面２３全体が連続した当接面を形成するようにしたこと」
にその構成上の特徴があり、これにより、「ピンセット」と「コイルスプリング」の長所を十分生かすことができて、局所的な無駄毛抜きが確実に行える無駄毛抜き１００を、簡単な構造によって提供することができるのである。
【００２２】
すなわち、本発明の無駄毛抜き１００によれば、「ピンセット」により「コイルスプリング」を圧縮したとき、無駄毛の両側を２つの第１平面２２・２２によってしっかりと掴むことができ、しかも、この掴みを第２平面２３の存在によって無駄毛の根元で行うことができて、局所的な無駄毛抜きが、「ピンセット」と「コイルスプリング」の長所を十分生かしながら確実に行えるのである。
【図面の簡単な説明】
【００２３】
【図１】本発明に係る無駄毛抜き１００を拡大して示すもので、（ａ）は正面図、（ｂ）は平面図である。
【図２】同無駄毛抜き１００を構成していて圧縮されていない状態のコイルスプリング２０を拡大して示すもので、（ａ）は正面図、（ｂ）は（ａ）中の１−１線に沿って見た断面図である。
【図３】同無駄毛抜き１００を構成していて圧縮された状態のコイルスプリング２０を拡大して示すもので、（ａ）は正面図、（ｂ）は（ａ）中の２−２線に沿って見た断面図である。
【図４】コイルスプリング２０の一部断面を示すもので、（ａ）は各コイル部分２１が圧縮されていない状態の部分拡大断面図、（ｂ）は各コイル部分２１が圧縮されていて一対のコイル部分２１間に無駄毛を掴んでいる状態の部分拡大断面図である。
【図５】従来の技術を示すもので、（ａ）は特許文献１で提案されている脱毛装置の断面図、（ｂ）は特許文献２で提案されている脱毛装置の平面図である。
【図６】従来の技術を示すもので、（ａ）は特許文献３で提案されている脱毛装置の断面図、（ｂ）は特許文献４で提案されている脱毛装置の断面図である。
【発明を実施するための形態】
【００２４】
次に、以上のように構成した本発明を、図面に示した実施の形態である無駄毛抜き１００について説明すると、図１の（ａ）には、ピンセット本体１０とコイルスプリング２０とによって構成した無駄毛抜き１００の正面図が示してあり、図１の（ｂ）には、同無駄毛抜き１００の平面図が示してある。
【００２５】
ピンセット本体１０は、一般的なそれと同様に、互いに対向し合う一対のピンセット腕１１の基端部（図１では図示左側部分）を折り曲げまたは連結したものであり、力を加えない状態では、図１に示したように、両ピンセット腕１１がその各外端部１２を開いた状態に維持できるような弾性力を有したものである。
【００２６】
本実施形態における各ピンセット腕１１の外端部１２には、図１の（ｂ）に示したように、バネ留め溝１３が形成してあり、このバネ留め溝１３内には、後述するコイルスプリング２０の両外端に位置するコイル部分２１が係止され、この係止部分では必要に応じて溶接等の手段によって両者の固定がなされる。なお、この係止部分やその溶接部分では、人の皮膚に傷を付ける可能性のある突起（後述するコイルスプリング２０の切断端部）やバリ（溶接した場合）が残ることがあるが、これらは研磨等の手段によって除去される。
【００２７】
一方、実施形態の無駄毛抜き１００を構成するコイルスプリング２０は、図１の（ａ）に示した非圧縮状態での長さが７ｍｍ〜１０ｍｍ程度であり、連続している各コイル部分２１の直径が３ｍｍ〜５ｍｍ程度のものである。そして、このコイルスプリング２０は、両ピンセット腕１１の各外端部１２が閉じられないときには、図２に示したように、各コイル部分２１間に無駄毛が入り込める隙間を構成すべく開かれるものであり、各外端部１２が閉じられたときには、図３に示したように、各コイル部分２１間に隙間がないように圧縮されるものである。本実施形態においては、上記の長さのコイルスプリング２０について、コイル部分２１（コイルスプリング２０の一回り分を言う）の数が７〜１２程度となるようにしてある。
【００２８】
この実施形態におけるコイルスプリング２０で重要なことは、図２及び図３の各（ｂ）にて示したように、当該コイルスプリング２０を構成している各コイル部分２１について、その圧縮方向の両側面に前記圧縮方向に直交する第１平面２２が形成してあり、その外側面に第１平面２２に直交する第２平面２３が形成してあることである。
【００２９】
各コイル部分２１の各第１平面２２は、コイルスプリング２０が圧縮されていないときには、図４の（ａ）に示したように、互いに離れていて除去したい無駄毛を挿入できる程度の隙間を形成するものであり、コイルスプリング２０が圧縮されたときには、図４の（ｂ）に示したように、これらの各第１平面２２は互いに密着させられるものである。
【００３０】
これに対して、各コイル部分２１の各第２平面２３は、特に、コイルスプリング２０が圧縮されたときに、図４の（ｂ）に示したように、各第２平面２３全体が連続した当接面を形成するものであり、この当接面は、人の無駄毛が生えている皮膚に広い面積で当接できるようにして、当該無駄毛抜き１００を皮膚上に当てたときに痛みを感じさせないようにして、使用感を高めるものである。また、各第２平面２３全体が連続した当接面は、図４の（ｂ）に示したように、無駄毛の両側にあるコイル部分２１が無駄毛が生えている際まで掴めるようにするものでもある。
【符号の説明】
【００３１】
１００    無駄毛抜き
１０    ピンセット本体
１１    ピンセット腕
１２    外端部
１３    バネ留め溝
２０    コイルスプリング
２１    コイル部分
２２    第１平面
２３    第２平面
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
互いに対向する一対のピンセット腕を指で挟むことにより、これらのピンセット腕の先端部を閉じるピンセット本体と、前記各ピンセット腕の先端部間に取り付けられて、前記各先端部が閉じられたとき圧縮されるコイルスプリングとからなるピンセット型の無駄毛抜きであって、
前記コイルスプリングを構成している各コイル部分について、その圧縮方向の両側面に前記圧縮方向に直交する第１平面を形成するとともに、その外側面に前記第１平面に直交する第２平面を形成して、前記コイルスプリングが圧縮されたとき、各コイル部分の各第１平面を互いに密着させるとともに、前記各第２平面全体が連続した当接面を形成するようにし、
さらに、前記各ピンセット腕の外端部にバネ留め溝を形成して、このバネ留め溝内に、前記コイルスプリングの両外端に位置するコイル部分を係止させたことを特徴とするピンセット型の無駄毛抜き。
【手続補正２】
【補正対象書類名】明細書
【補正対象項目名】全文
【補正方法】変更
【補正の内容】
【発明の詳細な説明】
【技術分野】
【０００１】
本発明は、ピンセット本体とコイルスプリングとからなる、ピンセット型の無駄毛抜きに関するものである。
【背景技術】
【０００２】
人体には、様々な箇所に、また、年齢に応じて男女を問わず、色んな無駄毛が生える。これらの無駄毛は、脛等の人目に付き易い部分に生えれば除去したいし、耳穴や鼻孔に生えればムズムズするので、これも除去したい。
【０００３】
このような無駄毛を除去する器具や装置としては、レーザー光を使用するものなど、従来より種々なものが提案されてきているのであるが、使用者本人が手で持って使用する手動型のものに限っても、特許文献１〜２、及び本願の図５に示すような「ピンセット型」や、特許文献３〜４、及び本願の図６に示すような「スプリング型」が代表的に知られている。
【先行技術文献】
【特許文献】
【０００４】
【特許文献１】特開平１１−１６９２２６号公報、要約、代表図
【特許文献２】特表２００８−５３９８５４号公報、要約、代表図
【特許文献３】特開２００１−３２７３２２号公報、要約、代表図
【特許文献４】特開２００４−２１５９６７号公報、要約、代表図
【発明の概要】
【発明が解決しようとする課題】
【０００５】
特許文献１にて提案されている「脱毛装置」は、「手持操作により毛髪を容易に引き抜くことができる美容用の脱毛装置を提供する」ことを目的としてなされたもので、図５の（ａ）に示すように、「先端部が開口部４に臨むように挟持金具１５を保持した前後動可能なホルダー１６と、後退移動により挟持金具１５に毛髪を挟持させるスライダー１７と」を備え、これらを覆う部材や駆動する部材等を多く備える必要のあるものである。一方、特許文献２にて提案されている「脱毛器」は、図５の（ｂ）に示すように、「ピンセット要素１２を有する脱毛器１０に係り、少なくとも前記ピンセット要素１２の表面は、少なくとも３０％の充填材料を有して強化される基本材料を有して少なくとも部分的に作られる。該充填材料を有して強化される基本材料は、モース硬度において少なくとも３である硬度を有する」ものとして構成されるものである。
【０００６】
これらの特許文献１及び２にて提案されている「ピンセット型」の脱毛器は、ピンセットの先端部で無駄毛を掴み取って、器具全体を移動させることにより、無駄毛を抜き取ることができると考えられるが、ピンセットの先端部での無駄毛の掴み取りがよく見えないこともあって、局所的な無駄毛抜きができないだけでなく、器具全体が大きいことから、耳穴や鼻孔内に差し込めず、これらの中の無駄毛を抜くことはできないと考えられる。
【０００７】
特許文献３及び４にて提案されている「スプリング型」の脱毛器も、図６の（ａ）または（ｂ）に示すように、圧縮したスプリングで無駄毛を掴み取って、器具全体を移動させて無駄毛を抜き取ることができると考えられるが、スプリングでの無駄毛掴みがよく見えないこともあって、局所的な無駄毛抜きができないだけでなく、器具全体が大きいことから、耳穴や鼻孔内に差し込めず、これらの中の無駄毛を抜くことはできないと考えられる。
【０００８】
勿論、特許文献１または２にて提案されている「ピンセット型」の脱毛器も、特許文献３または４にて提案されている「スプリング型」の脱毛器も、ピンセット部分やスプリング部分を駆動するための部材を必要としていることから、全体的に複雑なものとなっている。
【０００９】
そこで、本発明者等は、「ピンセット」と「コイルスプリング」の長所を十分生かすことができて、構造を非常に簡単にしながら、局所的な無駄毛抜きが確実に行える無駄毛抜きとするにはどうしたらよいか、について種々検討を重ねてきた結果、本発明を完成したのである。
【００１０】
すなわち、本発明の目的とするところは、「ピンセット」により「コイルスプリング」を圧縮したとき、無駄毛の両側を２つの平面によってしっかりと掴むことができ、しかも、この掴みを無駄毛の根元で行うことができて、局所的な無駄毛抜きが、「ピンセット」と「コイルスプリング」の長所を十分生かしながら確実に行える無駄毛抜きを、簡単な構造によって提供することにある。
【課題を解決するための手段】
【００１１】
以上の課題を解決するために、本発明の採った手段は、後述する最良形態の説明中で使用する符号を付して説明すると、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛抜き１００であって、
コイルスプリング２０を構成している各コイル部分２１について、その圧縮方向の両側面に前記圧縮方向に直交する第１平面２２を形成するとともに、その外側面に第１平面２２に直交する第２平面２３を形成して、コイルスプリング２０が圧縮されたとき、各コイル部分２１の各第１平面２２を互いに密着させるとともに、各第２平面２３全体が連続した当接面を形成するようにし、
さらに、各ピンセット腕１１の外端部１２にバネ留め溝１３を形成して、このバネ留め溝１３内に、コイルスプリング２０の両外端に位置するコイル部分２１を係止させたことを特徴とするピンセット型の無駄毛抜き１００」
である。
【００１２】
すなわち、本発明に係る無駄毛抜き１００は、図１に示すように、一般的なピンセット形状のピンセット本体１０を構成している一対のピンセット腕１１の外端部１２間に、圧縮スプリングであるコイルスプリング２０を取り付けたものであり、各ピンセット腕１１を指先で挟むことにより、先端のコイルスプリング２０を圧縮する手動利器である。また、この無駄毛抜き１００で採用しているコイルスプリング２０の、非圧縮状態での圧縮方向（図１の（ａ）では、図示上下方向）の長さは、その他の部分での最大となっており、しかも鼻孔や耳穴内に挿入できる程度としてある。つまり、この無駄毛抜き１００のコイルスプリング２０は、図１に示す状態でそのまま鼻孔や耳穴内に挿入できるものである。
【００１３】
また、この無駄毛抜き１００を構成しているコイルスプリング２０の各コイル部分２１については、図２〜図４に示すように、その圧縮方向の両側面に前記圧縮方向に直交する第１平面２２を形成するとともに、その外側面に第１平面２２に直交する第２平面２３を形成して、コイルスプリング２０が圧縮されたとき、各コイル部分２１の各第１平面２２を互いに密着させるとともに、各第２平面２３全体が連続した当接面を形成するようにしてある。
【００１４】
そして、各ピンセット腕１１の外端部１２には、図１の（ｂ）に示すように、バネ留め溝１３が形成してあり、このバネ留め溝１３内には、後述するコイルスプリング２０の両外端に位置するコイル部分２１が係止され、この係止部分では必要に応じて溶接等の手段によって両者の固定がなされる。なお、この係止部分やその溶接部分では、人の皮膚に傷を付ける可能性のある突起（後述するコイルスプリング２０の切断端部）やバリ（溶接した場合）が残ることがあるが、これらは研磨等の手段によって除去される。
【００１５】
さて、この無駄毛抜き１００におけるコイルスプリング２０は、ピンセット本体１０のピンセット腕１１が開かれた状態にあるときには、図２、及び図４の（ａ）に示すように、その各コイル部分２１の間に均等な幅の隙間が形成されており、これらの隙間は、他の部分に遮られること無く、十分目視できるものとなっている。ここで、除去対象である無駄毛が脛の表面にある場合や鼻孔内にある場合には、当該コイルスプリング２０を目視あるいは鏡に映しながら無駄毛に向かわせれば、無駄毛は各コイル部分２１間の隙間内に容易に入り込む。
【００１６】
一方、無駄毛が耳穴内にある場合は、これを使用者本人が目視したり鏡に映したりすることができず、各コイル部分２１間の隙間の目視もできない。しかしながら、コイルスプリング２０は、図１に示す状態でそのまま耳穴内に挿入できるし、各コイル部分２１の間には均等な幅の隙間が多数形成してあるから、例えば当該コイルスプリング２０を回しながら挿入することによって、無駄毛を各コイル部分２１間の隙間内に入り込ませることができるし、これを敏感な耳穴は感じることもできる。
【００１７】
無駄毛が各コイル部分２１間の隙間内に入り込めば、互いに対向している一対のピンセット腕１１を指で挟むことにより先端部１２を閉じると、例えば図４の（ｂ）に示すように、無駄毛を両側のコイル部分２１が掴むことになる。
【００１８】
ここで重要なことは、各コイル部分２１について、その圧縮方向の両側面に前記圧縮方向に直交する第１平面２２が形成されていることと、各コイル部分２１の外側面に第１平面２２に直交する第２平面２３が形成してあることである。これにより、コイルスプリング２０が圧縮されたときには、まず、図４の（ｂ）に示すように、無駄毛の両側になっている各コイル部分２１の各第１平面２２が互いに密着し合うため、無駄毛の両側は各第１平面２２によってしっかりと掴まれることになる。
【００１９】
そして、コイルスプリング２０が閉じられたときには、各コイル部分２１の第２平面２３全体が、図４の（ｂ）に示すように、連続した当接面を形成しているから、圧縮されたコイルスプリング２０は、無駄毛の生えている皮膚表面にピッタリと当接することになる。これにより、各第１平面２２によって掴まれた無駄毛は、その生え際まで各コイル部分２１の第１平面２２によって固定されていることになるのである。
【００２０】
以上の通り、除去したい無駄毛の両側は、その生え際から各第１平面２２によってしっかりと掴まれることになり、当該無駄毛抜き１００全体をそのまま動かせば、当該無駄毛が、途中で切れることなく、皮膚から抜き取られることになるのである。
【００２１】
従って、本発明に係る無駄毛抜き１００によれば、「ピンセット」と「コイルスプリング」とからなる簡単な構造となっており、しかも耳穴や鼻孔内の無駄毛抜きができる程度の小さな手動利器となっているから、脛のような広い皮膚上の無駄毛は勿論、耳穴や鼻孔内のような局所的な箇所に生えている無駄毛であっても抜くことができるのである。
【発明の効果】
【００２２】
以上説明した通り、本発明においては、
「互いに対向する一対のピンセット腕１１を指で挟むことにより、これらのピンセット腕１１の先端部１２を閉じるピンセット本体１０と、各ピンセット腕１１の先端部１２間に取り付けられて、各先端部１２が閉じられたとき圧縮されるコイルスプリング２０とからなるピンセット型の無駄毛抜き１００であって、
コイルスプリング２０を構成している各コイル部分２１について、その圧縮方向の両側面に前記圧縮方向に直交する第１平面２２を形成するとともに、その外側面に第１平面２２に直交する第２平面２３を形成して、コイルスプリング２０が圧縮されたとき、各コイル部分２１の各第１平面２２を互いに密着させるとともに、各第２平面２３全体が連続した当接面を形成するようにし、
さらに、各ピンセット腕１１の外端部１２にバネ留め溝１３を形成して、このバネ留め溝１３内に、コイルスプリング２０の両外端に位置するコイル部分２１を係止させたこと」
にその構成上の特徴があり、これにより、「ピンセット」と「コイルスプリング」の長所を十分生かすことができて、局所的な無駄毛抜きが確実に行える無駄毛抜き１００を、簡単な構造によって提供することができるのである。
【００２３】
すなわち、本発明の無駄毛抜き１００によれば、「ピンセット」により「コイルスプリング」を圧縮したとき、無駄毛の両側を２つの第１平面２２・２２によってしっかりと掴むことができ、しかも、この掴みを第２平面２３の存在によって無駄毛の根元で行うことができて、局所的な無駄毛抜きが、「ピンセット」と「コイルスプリング」の長所を十分生かしながら確実に行えるのである。
【図面の簡単な説明】
【００２４】
【図１】本発明に係る無駄毛抜き１００を拡大して示すもので、（ａ）は正面図、（ｂ）は平面図である。
【図２】同無駄毛抜き１００を構成していて圧縮されていない状態のコイルスプリング２０を拡大して示すもので、（ａ）は正面図、（ｂ）は（ａ）中の１−１線に沿って見た断面図である。
【図３】同無駄毛抜き１００を構成していて圧縮された状態のコイルスプリング２０を拡大して示すもので、（ａ）は正面図、（ｂ）は（ａ）中の２−２線に沿って見た断面図である。
【図４】コイルスプリング２０の一部断面を示すもので、（ａ）は各コイル部分２１が圧縮されていない状態の部分拡大断面図、（ｂ）は各コイル部分２１が圧縮されていて一対のコイル部分２１間に無駄毛を掴んでいる状態の部分拡大断面図である。
【図５】従来の技術を示すもので、（ａ）は特許文献１で提案されている脱毛装置の断面図、（ｂ）は特許文献２で提案されている脱毛装置の平面図である。
【図６】従来の技術を示すもので、（ａ）は特許文献３で提案されている脱毛装置の断面図、（ｂ）は特許文献４で提案されている脱毛装置の断面図である。
【発明を実施するための形態】
【００２５】
次に、以上のように構成した本発明を、図面に示した実施の形態である無駄毛抜き１００について説明すると、図１の（ａ）には、ピンセット本体１０とコイルスプリング２０とによって構成した無駄毛抜き１００の正面図が示してあり、図１の（ｂ）には、同無駄毛抜き１００の平面図が示してある。
【００２６】
ピンセット本体１０は、一般的なそれと同様に、互いに対向し合う一対のピンセット腕１１の基端部（図１では図示左側部分）を折り曲げまたは連結したものであり、力を加えない状態では、図１に示したように、両ピンセット腕１１がその各外端部１２を開いた状態に維持できるような弾性力を有したものである。
【００２７】
本実施形態における各ピンセット腕１１の外端部１２には、図１の（ｂ）に示したように、バネ留め溝１３が形成してあり、このバネ留め溝１３内には、後述するコイルスプリング２０の両外端に位置するコイル部分２１が係止され、この係止部分では必要に応じて溶接等の手段によって両者の固定がなされる。なお、この係止部分やその溶接部分では、人の皮膚に傷を付ける可能性のある突起（後述するコイルスプリング２０の切断端部）やバリ（溶接した場合）が残ることがあるが、これらは研磨等の手段によって除去される。
【００２８】
一方、実施形態の無駄毛抜き１００を構成するコイルスプリング２０は、図１の（ａ）に示した非圧縮状態での長さが７ｍｍ〜１０ｍｍ程度であり、連続している各コイル部分２１の直径が３ｍｍ〜５ｍｍ程度のものである。そして、このコイルスプリング２０は、両ピンセット腕１１の各外端部１２が閉じられないときには、図２に示したように、各コイル部分２１間に無駄毛が入り込める隙間を構成すべく開かれるものであり、各外端部１２が閉じられたときには、図３に示したように、各コイル部分２１間に隙間がないように圧縮されるものである。本実施形態においては、上記の長さのコイルスプリング２０について、コイル部分２１（コイルスプリング２０の一回り分を言う）の数が７〜１２程度となるようにしてある。
【００２９】
この実施形態におけるコイルスプリング２０で重要なことは、図２及び図３の各（ｂ）にて示したように、当該コイルスプリング２０を構成している各コイル部分２１について、その圧縮方向の両側面に前記圧縮方向に直交する第１平面２２が形成してあり、その外側面に第１平面２２に直交する第２平面２３が形成してあることである。
【００３０】
各コイル部分２１の各第１平面２２は、コイルスプリング２０が圧縮されていないときには、図４の（ａ）に示したように、互いに離れていて除去したい無駄毛を挿入できる程度の隙間を形成するものであり、コイルスプリング２０が圧縮されたときには、図４の（ｂ）に示したように、これらの各第１平面２２は互いに密着させられるものである。
【００３１】
これに対して、各コイル部分２１の各第２平面２３は、特に、コイルスプリング２０が圧縮されたときに、図４の（ｂ）に示したように、各第２平面２３全体が連続した当接面を形成するものであり、この当接面は、人の無駄毛が生えている皮膚に広い面積で当接できるようにして、当該無駄毛抜き１００を皮膚上に当てたときに痛みを感じさせないようにして、使用感を高めるものである。また、各第２平面２３全体が連続した当接面は、図４の（ｂ）に示したように、無駄毛の両側にあるコイル部分２１が無駄毛が生えている際まで掴めるようにするものでもある。
【符号の説明】
【００３２】
１００    無駄毛抜き
１０    ピンセット本体
１１    ピンセット腕
１２    外端部
１３    バネ留め溝
２０    コイルスプリング
２１    コイル部分
２２    第１平面
２３    第２平面